(57)【要約】      （修正有）【課題】容器内の水分により生じる結露および青果物自身から出る水分によって野菜又は果物等の青果物が腐ることを抑制するための保鮮容器を提供する。【解決手段】開口２１０を有する容器本体２０と、開口２１０を密閉可能とする第１蓋３０と、第１蓋３０に設けられ、容器本体２０の内方に連通する孔３１０と、孔３１０を密閉可能に開閉する第２蓋４０とを備え、第２蓋４０を開状態とすることにより、保鮮容器１０内の水分を保鮮容器１０外に排出する。【選択図】図１Ａ
2011177080.tif 000002
【特許請求の範囲】
【請求項１】
開口を有する容器本体と、
前記開口を密閉可能とする第１蓋と、
前記第１蓋に設けられ、前記容器本体の内方に連通する孔と、
前記孔を密閉可能に開閉する第２蓋と
を備える保鮮容器。
【請求項２】
前記第２蓋は、一軸回転支持機構によって前記第１蓋に取り付けられている
請求項１に記載の保鮮容器。
【請求項３】
前記第２蓋は、押し込み部を有し、
前記押し込み部が押し込まれることにより前記第２蓋は開状態となる
請求項２に記載の保鮮容器。
【請求項４】
前記第１蓋は、前記押し込み部が押し込まれる凹部を有する
請求項３に記載の保鮮容器。
【請求項５】
前記第２蓋の開状態を維持するための開状態維持手段を有する
請求項１〜請求項４のいずれか１項に記載の保鮮容器。
【請求項６】
前記孔の開口面積を調節するための孔開口面積調節手段を有する
請求項１〜請求項５のいずれか１項に記載の保鮮容器。
【請求項７】
前記容器本体は、把手部を有し、
前記容器本体の前記把手部が設けられた側を手前側とし、前記手前側の反対側を奥側としたときに、
前記第２蓋は、前記第１蓋の前記奥側に取り付けられている
請求項１〜請求項６のいずれか１項に記載の保鮮容器。
【請求項８】
前記第２蓋の前記押し込み部は、当該第２蓋の前記手前側に位置する
請求項７に記載の保鮮容器。
【請求項９】
前記容器本体の前記奥側の壁である奥壁と前記容器本体の側壁とが、外側に膨出した曲面、又は平面によって繋がっている
請求項７又は請求項８に記載の保鮮容器。
【請求項１０】
請求項１〜請求項９のいずれか１項に記載の保鮮容器を収納するための収納室を備える
冷蔵庫。
【請求項１１】
前記保鮮容器が複数個並べて配置されている
請求項１０に記載の冷蔵庫。
【発明の詳細な説明】
【技術分野】
【０００１】
本発明は、野菜又は果物等の青果物等を保鮮するための保鮮容器に関する。
【背景技術】
【０００２】
従来、青果物を保鮮するための保鮮容器として、容器本体の開口を蓋によって密閉するものがある。この保鮮容器によれば、青果物の乾燥を抑制して容器内の湿度を維持することができるので、青果物の保鮮性を向上させることができる。
【０００３】
さらに、この種の保鮮容器において、容器本体の一部にガス選択性透過フィルムが設けられたものが提案されている（特許文献１）。この保鮮容器によれば、保鮮容器内における二酸化炭素のガス濃度を適切に保つことができるので、青果物の長期貯蔵を可能とすることができる。
【先行技術文献】
【特許文献】
【０００４】
【特許文献１】特開平２−１１９７１９号公報
【発明の概要】
【発明が解決しようとする課題】
【０００５】
しかしながら、従来の保鮮容器は密閉容器であるので、容器内に結露が生じやすく、この結露による水分によって保鮮容器内の青果物が腐ってしまうという問題がある。また、保鮮容器内には結露以外に青果物自身から出る水分もあり、この水分によって青果物が腐ってしまうという問題もある。
【０００６】
本発明は、上記問題を解決するためになされたものであり、容器内の水分によって青果物が腐ることを抑制するための保鮮容器を提供することを目的とする。
【課題を解決するための手段】
【０００７】
上記問題を解決するために、本発明に係る保鮮容器の一態様は、開口を有する容器本体と、前記開口を密閉可能とする第１蓋と、前記第１蓋に設けられ、前記容器本体の内方に連通する孔と、前記孔を密閉可能に開閉する第２蓋とを備える。
【０００８】
これにより、孔を介して保鮮容器内に生じた水分を保鮮容器外に排出することができるので、保鮮容器に収納される青果物が腐ることを抑制することができる。また、孔を介して保鮮容器内外の気体を通すことができるので、保鮮容器内に結露が生じることを抑制することもできる。さらに、孔を介して保鮮容器外から二酸化炭素を取り入れることもできるので、青果物の鮮度を保ち青果物の長期貯蔵を可能とすることもできる。
【０００９】
さらに、本発明に係る保鮮容器の一態様において、前記第２蓋は、一軸回転支持機構によって前記第１蓋に取り付けられていることが好ましい。
【００１０】
これにより、簡易な構成により、第２蓋の開閉動作を行うことができる。
【００１１】
さらに、本発明に係る保鮮容器の一態様において、前記第２蓋は、押し込み部を有し、前記押し込み部が押し込まれることにより前記第２蓋は開状態となることが好ましい。
【００１２】
これにより、第２蓋の押し込み部を押すという単純な動作により、第２蓋を開状態とすることができる。
【００１３】
さらに、本発明に係る保鮮容器の一態様において、前記第１蓋は、前記押し込み部が押し込まれる凹部を有することが好ましい。
【００１４】
これにより、第２蓋が閉状態のときに、第２蓋と第１蓋とを平らに構成することができる。
【００１５】
さらに、本発明に係る保鮮容器の一態様において、前記第２蓋の開状態を維持するための開状態維持手段を有することが好ましい。
【００１６】
これにより、第２蓋の開状態を維持することができるので、孔の通気状態を一定に維持することができる。
【００１７】
さらに、本発明に係る保鮮容器の一態様において、前記孔の開口面積を調節するための孔開口面積調節手段を有することが好ましい。
【００１８】
これにより、孔の開口面積を調節することができるので、収納物の種類又は収納物の収納量に応じて通気状態を適宜調整することができる。
【００１９】
さらに、本発明に係る保鮮容器の一態様において、前記容器本体は、把手部を有し、前記容器本体の前記把手部が設けられた側を手前側とし、前記手前側の反対側を奥側としたときに、前記第２蓋は、前記第１蓋の前記奥側に取り付けられていることが好ましい。
【００２０】
これにより、保鮮容器の奥側に冷気が通る場合等で保鮮容器の奥側に結露が生じやすい場合に、保鮮容器の奥側に結露が発生することを効果的に抑制することができる。
【００２１】
さらに、本発明に係る保鮮容器の一態様において、前記第２蓋の前記押し込み部は、当該第２蓋の前記手前側に位置することが好ましい。
【００２２】
これにより、保鮮容器の手前側から容易に押し込み部を押し込むことができるので、第２蓋を容易に開状態とすることができる。特に、第２蓋が第１蓋の奥側の位置に設けられている場合でも、容易に第２蓋を開状態とすることができる。
【００２３】
さらに、本発明に係る保鮮容器の一態様において、前記容器本体の前記奥側の壁である奥壁と前記容器本体の側壁とが、外側に膨出した曲面、又は平面によって繋がっていることが好ましい。
【００２４】
これにより、冷蔵庫の冷蔵室等の収納室に保鮮容器を収納する場合、保鮮容器を容易に収納することができる。また、保鮮容器を収納室から取り出す際も保鮮容器を容易に取り出すことができる。
【００２５】
また、本発明に係る冷蔵庫の一態様は、上記の本発明に係る保鮮容器を収納するための収納室を備える。
【００２６】
冷蔵庫の冷蔵室等の収納室に密閉型の保鮮容器を収納すると保鮮容器内に結露が生じやすい。この場合、収納室に収納する保鮮容器として本発明に係る保鮮容器を用いることにより、孔によって保鮮容器内の水分を排出することができる。また、孔によって保鮮容器内外の気体の通気を行うこともできるので、結露の発生を抑制することができる。
【００２７】
さらに、本発明に係る冷蔵庫の一態様において、前記保鮮容器が複数個並べて配置されていることが好ましい。
【００２８】
これにより、冷蔵室の扉が十分に開けられないような場合でも、保鮮容器を取り出すことができ、冷蔵室を有効に利用することができる。また、収納物の種類又は収納量に応じて、保鮮容器を選択することができる。
【発明の効果】
【００２９】
本発明に係る保鮮容器及び冷蔵庫によれば、容器内の水分によって青果物等の収納物が腐ることを抑制することができる。
【図面の簡単な説明】
【００３０】
【図１Ａ】図１Ａは、本発明の実施形態に係る保鮮容器の外観斜視図である。
【図１Ｂ】図１Ｂは、図１Ａに示す本発明の実施形態に係る保鮮容器の分解斜視図である。
【図２】図２は、図１Ｂの破線で囲まれた領域Ａの拡大図であり、本発明の実施形態に係る保鮮容器における第１蓋の要部拡大斜視図である。
【図３Ａ】図３Ａは、本発明の実施形態に係る保鮮容器における第２蓋を表側の斜め方向から見た外観斜視図である。
【図３Ｂ】図３Ｂは、本発明の実施形態に係る保鮮容器における第２蓋を裏側の斜め方向から見た外観斜視図である。
【図４Ａ】図４Ａは、第２蓋が閉じている状態を示した本発明の実施形態に係る保鮮容器の要部拡大断面図である。
【図４Ｂ】図４Ｂは、第２蓋が開いている状態を示した本発明の実施形態に係る保鮮容器の要部拡大断面図である。
【図５】図５は、本発明の実施形態に係る冷蔵庫を模式的に表した冷蔵庫の正面図である。
【図６】図６は、本発明の実施形態に係る冷蔵庫における冷蔵室を模式的に表した冷蔵室の正面図である。
【発明を実施するための形態】
【００３１】
以下、本発明の実施形態に係る保鮮容器及び冷蔵庫について、図面を参照しながら説明する。
【００３２】
図１Ａは、本発明の実施形態に係る保鮮容器の外観斜視図である。図１Ｂは、図１Ａに示す本発明の実施形態に係る保鮮容器の分解斜視図である。
【００３３】
図１Ａ及び図１Ｂに示すように、本発明の実施形態に係る保鮮容器１０は、野菜又は果物等の青果物を保鮮するための保鮮容器であって、容器本体２０と第１蓋３０とを備える。
【００３４】
容器本体２０は、青果物等の収納物を収納するための樹脂成形容器であって、収納物を出し入れするための開口２１０を有する。
【００３５】
第１蓋３０は、容器本体２０の開口２１０を密閉可能とするものである。第１蓋３０には、図１Ｂに示すように、容器本体２０の内方に連通する孔３１０が設けられている。孔３１０は、容器本体２０内外における気体の通り道であり、容器本体２０内の水分等の気体を容器本体２０外に排出する機能を有する。また、孔３１０は、容器本体２０外の気体を容器本体２０内に取り込む機能も有する。
【００３６】
第１蓋３０には、第２蓋４０が取り付けられている。第２蓋４０は、第１蓋３０の孔３１０を密閉可能に開閉するものである。第２蓋４０を開閉することにより、孔３１０を介して容器本体２０内外における気体の出入りを調整することができる。
【００３７】
第１蓋３０の一方側端には、止め部材５０が取り付けられている。容器本体２０の手前側には引っ掛け部２３０が設けられている。止め部材５０を引っ掛け部２３０に係合させることにより容器本体２０と第１蓋３０とがロックされた状態で密閉される。
【００３８】
第１蓋３０の奥側には爪３２０が設けられている。また、容器本体２０の奥側には係止穴２２０が設けられている。爪３２０と係止穴２２０とは係合されている。
【００３９】
以上のように構成された保鮮容器１０において、第１蓋３０を開ける場合は、止め部材５０を手前に持ち上げて引っ掛け部２３０との係合状態を解除し、第１蓋３０を持ち上げる。これにより、容器本体２０の開口２１０を開放することができるので、開口２１０から容器本体２０内に青果物を収納することができる。また、開口２１０から容器本体２０内の青果物を取り出すことができる。
【００４０】
例えば、保鮮容器１０に青果物等の収納物を収納する場合、まず、開口２１０から容器本体２０内に青果物を入れる。そして、第１蓋３０の爪３２０を容器本体２０の係止穴２２０に係合させ、第１蓋３０に取り付けられた止め部材５０を容器本体２０の引っ掛け部２３０に係合させる。これにより、容器本体２０を密閉することができる。このとき、図１Ｂに示すように、容器本体２０と第１蓋３０との当接部分に、樹脂からなるシール部材６０を設けることによって、保鮮容器１０の密閉性（シール性）を向上させることができる。
【００４１】
また、保鮮容器１０から青果物等の収納物を取り出す場合、止め部材５０を手前に持ち上げて引っ掛け部２３０との係合状態を解除し、第１蓋３０を持ち上げる。これにより、容器本体２０の開口２１０を開放することができるので、開口２１０から容器本体２０内の収納物を取り出すことができる。
【００４２】
なお、第１蓋３０の開閉時において、爪３２０を係止穴２２０から外し、第１蓋３０を容器本体２０から完全に離して、収納物を収納したり取り出したりしてもよい。
【００４３】
また、容器本体２０には、容器本体２０を掴むための把手部２４０が設けられている。把手部２４０は、保鮮容器１０を冷蔵室等の収納室に収納した場合に、保鮮容器１０を引き出す際に使用される。把手部２４０は、下方に開放された開口を有する凹部構造となっている。これにより、下方から開口に手を差し込むことができるので、冷蔵室１１０から保鮮容器１０を引き出す際に、手によって保鮮容器１０を下方から支えることができる。従って、保鮮容器１０の引き出し過ぎによって保鮮容器１０が冷蔵室１１０から飛び出して勢いよく落下してしまうことを抑制することができる。
【００４４】
なお、以降、本実施形態では、保鮮容器１０の中心に対して把手部２４０が設けられる位置の方向を手前側と称し、保鮮容器１０の中心に対して手前側とは反対側の方向を奥側と称する。また、奥側と手前側を結ぶ直線方向を縦方向とし、縦方向と垂直な方向を横方向とする。
【００４５】
次に、第１蓋３０とその孔３１０について、図２を用いてさらに詳述する。図２は、図１Ｂの破線で囲まれた領域Ａの拡大図であり、本発明の実施形態に係る保鮮容器における第１蓋の要部拡大斜視図である。
【００４６】
図２に示すように、第１蓋３０には、平面視したときに横長の略矩形状をなす凹部３３０が形成されている。凹部３３０は、縦方向に二分されており、奥側の第１凹部３３１と手前側の第２凹部３３２とからなる。第２凹部３３２は、その深さが第１凹部３３１の深さよりも深くなるように形成されている。
【００４７】
第１凹部３３１には、第１蓋３０を貫通して形成される通気用の孔３１０が設けられている。孔３１０は、平面視したときに横長の略矩形状をなしている。また、第２凹部３３２の横方向の両側壁には、略円柱凸部で構成される軸３４１、３４２が設けられている。以上のように構成される第１蓋３０は、所定の樹脂を用いて射出成形等によって形成することができる。
【００４８】
次に、第２蓋４０について、図３Ａ及び図３Ｂを用いてさらに詳述する。図３Ａは、本発明の実施形態に係る保鮮容器における第２蓋４０を表側の斜め方向から見た外観斜視図である。図３Ｂは、第２蓋を裏側の斜め方向から見た外観斜視図である。
【００４９】
図３Ａに示すように、第２蓋４０は、第１蓋３０の凹部３３０全体と略同形状の板状部材４１０で構成されている。第２蓋４０の板状部材４１０の両側部分には、第１蓋３０の第２凹部３３２に設けられた軸３４１、３４２に軸支される軸受部４２１、４２２が設けられている。このように第１蓋３０の軸３４１、３４２と第２蓋４０の軸受部４２１、４２２とによって一軸回転支持機構が構成されている。すなわち、ヒンジ構造となっている。
【００５０】
また、図３Ｂに示すように、第２蓋４０の裏面には、第１蓋３０の孔３１０と嵌合する凸部４３０が設けられている。第２蓋４０の凸部４３０は、所定厚さ及び所定高さの壁を環状に形成したものである。第２蓋４０の凸部４３０が第１蓋３０の孔３１０に嵌合されることにより、第１蓋３０の孔３１０を密閉することができる。
【００５１】
このとき、凸部４３０を環状の壁によって形成している。すなわち、壁の内側に空間部分を形成しているので、凸部４３０に、保鮮容器１０の縦方向（第２蓋の幅方向）に対して所定の弾性力を持たせることができる。このように、凸部４３０に弾性力を持たせることにより、凸部４３０を孔３１０に容易に嵌合することができるとともに、凸部４３０を孔３１０から容易に外すこともできる。しかも、弾性力によって孔３１０と凸部４３０の密閉性（シール性）を向上させることもできる。なお、凸部４３０は環状の壁となるように形成したが、環状の壁とはせずに、壁の内部を壁と同じ材料で充填した構成としても構わない。この場合、凸部の先端外周部分は、孔３１０と嵌合しやすいように面取りをすることが好ましい。
【００５２】
以上の第２蓋４０は、所定の樹脂を用いて射出成形等により形成することができる。なお、第２蓋４０の凸部４３０の側壁外周部分にシール部材（不図示）を設けて、孔３１０と凸部４３０との間にシール部材が位置するように構成することにより、孔３１０と凸部４３０の密閉性をさらに高めることができる。
【００５３】
次に、第２蓋４０が開閉する様子について、図４Ａ及び図４Ｂを用いて説明する。図４Ａは、第２蓋が閉じている状態を示した本発明の実施形態に係る保鮮容器の要部拡大断面図である。図４Ｂは、第２蓋が開いている状態を示した本発明の実施形態に係る保鮮容器の要部拡大断面図である。なお、図４Ｂは、図１Ａに示されるＸ−Ｘ’線に沿って切断した断面図である。
【００５４】
図４Ａに示すように、第２蓋４０が閉じている場合（閉状態）は、第２蓋４０の凸部４３０が第１蓋３０の孔３１０に嵌合している。
【００５５】
これにより、孔３１０の密閉状態を維持して保鮮容器１０全体を完全に密閉状態にすることができるので、保鮮容器１０内の乾燥を防止して保鮮容器１０内の湿度を一定以上に維持することができる。
【００５６】
なお、図４Ａに示す第２蓋４０の閉状態においては、第１蓋３０の表面と第２蓋４０の表面とは略同一平面となるように、第１蓋３０と第２蓋４０とは平らに構成されている。
【００５７】
次に、第２蓋４０を開ける場合は、第２蓋４０の凸部４３０が設けられている側とは反対方向側の部分である押し込み部４４０を上方から押す。これにより、図４Ｂに示すように、第１蓋３０の軸３４１（３４２）と第２蓋４０の軸受部４２１（４２２）との一軸回転支持機構によって、押し込み部４４０は下降して第２凹部３３２に押し込まれるとともに、押し込み部４４０とは反対側の部分である上昇部４５０（凸部４３０が設けられている側の部分）は上昇して第１蓋３０の表面から飛び出した状態となる。
【００５８】
これにより、第２蓋４０が開状態となる。すなわち、第２蓋４０の凸部４３０が孔３１０から外れて第１蓋３０の孔３１０が開放され、容器本体２０内外の気体が孔３１０を介して通ることができる状態となる。
【００５９】
このように、第２蓋４０を開状態とすることにより、孔３１０を介して保鮮容器１０内の水分を保鮮容器１０外に排出することができる。また、青果物自身が発生する水分を保鮮容器１０外に排出することもできる。従って、青果物が水分によって腐ってしまうことを防止することができる。
【００６０】
また、第２蓋４０を開状態とすることにより、孔３１０を介して保鮮容器１０内外の気体を通すことができるので、保鮮容器１０内の高くなった湿度を低下させることができる。また、保鮮容器内外の温度差がある場合は、孔３１０を介して保鮮容器１０内外の気体を通すことによって保鮮容器１０内外の温度差を小さくすることができる。これにより、保鮮容器１０内に結露が発生することを抑制することができる。
【００６１】
さらに、第２蓋４０を開状態とすることにより、孔３１０を介して保鮮容器１０外の二酸化炭素を保鮮容器１０内に取り込むこともできる。これにより、青果物の鮮度を保ち青果物の長期貯蔵を可能とすることもできる。
【００６２】
なお、第２蓋４０を開状態から閉状態とすることにより、保鮮容器１０を密閉することができる。これにより、保鮮容器１０内の乾燥を防止することができる。このように、第２蓋４０を開状態から閉状態とする場合は、図４Ｂに示すように、飛び出した第２蓋４０の上昇部４５０の上面部分を上方から押すことにより、図４Ａに示すように第２蓋４０を閉状態とすることができる。
【００６３】
以上、本実施形態において、第２蓋４０の開状態の維持は、第１蓋３０の軸３４１、３４２と、第２蓋４０の軸受部４２１、４２２との摩擦によって保たれている。すなわち、第２蓋４０の開状態を維持するための開状態維持手段としては、一軸回転支持構造における摩擦を用いたものである。なお、第２蓋４０の開状態における第２蓋の開き角度は約３０度としている。第２蓋４０の開状態が維持されているときの開き角度は９０度以下であることが好ましい。また、第２蓋４０の開状態維持手段としては、摩擦以外の手段によっても実現することができる。例えば、掛け具等の掛止部を用いたラッチ構造によって開状態維持手段を構成することもできる。
【００６４】
また、本実施形態において、第１蓋３０の孔３１０と当該孔３１０を塞ぐ第２蓋４０とは、保鮮容器１０の奥側に設けている。これにより、保鮮容器１０の奥側に冷気が通る場合等であって保鮮容器１０の奥側に結露が生じやすいような環境下に保鮮容器１０が置かれた場合、保鮮容器１０内の奥側に発生しうる結露を効果的に抑制することができる。
【００６５】
また、本実施形態において、第２蓋４０の押し込み部４４０は、当該第２蓋４０を構成する板状部材４１０の手前側部分としている。これにより、第２蓋４０を手前側から容易に開閉することができる。なお、第２蓋４０の押し込み部が奥側にあると、押し込み部を押したときに手前側部分が上昇することになり、押し込み部を手前側から容易に押すことができなくなる場合がある。
【００６６】
例えば、保鮮容器１０を収納棚又は収納室に収納した場合であって、保鮮容器１０の上面と収納棚（又は収納室）内上面との隙間が小さい場合を考える。この場合、本実施形態のように押し込み部４４０が手前側にあれば、隙間から手を入れて押し込み部４４０を押すことができるので、保鮮容器１０を動かすことなく第２蓋４０を開閉することができる。一方、第２蓋４０の押し込み部が奥側にあると、隙間の間隔として第２蓋の上昇部分に加えて手の厚みの分も必要となり、第２蓋４０を容易に開閉することができなくなる。
【００６７】
また、上記隙間が小さく、もともと手を入れることができない場合であっても、押し込み部４４０を手前側に設けることにより、保鮮容器１０を収納棚（又は収納室）から全て取り出す必要はなく、第２蓋４０の手前側部分さえ露出させることにより、第２蓋４０の開閉を行うことができる。
【００６８】
また、本実施形態では、図１Ａ及び図１Ｂに示すように、容器本体２０の奥側の壁である奥壁と容器本体２０の側壁とを、外側に膨らんだ所定の曲率半径を有する曲面によって繋げた構造とした。これにより、保鮮容器１０を収納棚又は収納室に収納する場合であっても、保鮮容器１０を容易に収納することができる。また、保鮮容器１０を収納棚又は収納室から取り出す際も、保鮮容器１０を容易に取り出すことができる。なお、曲面以外に平面で繋げた構造としても構わない。但し、保鮮容器１０の収納量を確保するためには曲面とすることが好ましい。
【００６９】
次に、本発明の実施形態に係る冷蔵庫について、図面を参照して説明する。図５は、本発明の実施形態に係る冷蔵庫を模式的に表した冷蔵庫の正面図である。
【００７０】
図５に示すように、本発明の実施形態に係る冷蔵庫１００は、上段、中段及び下段の３つに区画された貯蔵室を備える。具体的には、上段の貯蔵室は冷蔵室１１０であり、中段の貯蔵室は野菜室１２０であり、下段の貯蔵室は冷凍室１３０である。各貯蔵室において、冷蔵室１１０の庫内温度は約２〜３℃であり、野菜室１２０の庫内温度は約２〜５℃であり、冷凍室１３０の庫内温度は約−１８〜−２０℃である。なお、図６において、矩形の破線がそれぞれの貯蔵室の前面開口部を表している。
【００７１】
主箱体の内方に形成される冷蔵室１１０には、前面開口部を覆うことにより冷蔵室を密閉状態とする扉１１１が設けられている。扉１１１は、前面開口部の向かって右側の端部に設けられており、縦方向の回動軸を中心に回動することができる。これにより、扉１１１を左右方向に開閉することができる。また、扉１１１を開閉することによって、冷蔵室１１０に収納物を収納したり、冷蔵室１１０から中の収納物を取り出したりすることができる。
【００７２】
野菜室１２０及び冷凍室１３０には、上方に開放された開口を有する引き出し式の収納容器（ケース）がそれぞれ収納されている。また、野菜室１２０及び冷凍室１３０には、前面開口部を覆う扉１２１、１３１が設けられている。扉１２１、１３１を手前側に引き出したり奥側に押し込んだりすることにより、これに連動して収納容器も手前側に引き出されたり奥側に押し込まれたりする。これにより、収納容器に収納物を収納したり収納容器から収納物を取り出したりすることができる。
【００７３】
次に、本発明の実施形態に係る冷蔵庫における冷蔵室について、図６を用いてさらに詳細に説明する。図６は、本発明の実施形態に係る冷蔵庫における冷蔵室を模式的に表した冷蔵室の正面図である。なお、図６において、扉は図示していない。
【００７４】
図６に示すように、本実施形態に係る冷蔵庫１００の冷蔵室１１０は、上段側の第１貯蔵室１１２と下段側の第２貯蔵室１１３とを備えている。第１貯蔵室１１２と第２貯蔵室１１３との間にはトレイ１１４が設けられており、トレイ１１４によって冷蔵室１１０が第１貯蔵室１１２と第２貯蔵室１１３とに区分されている。なお、第１貯蔵室１１２においては、破線で示すように適宜必要個数のトレイを別途設けても構わない。
【００７５】
本実施形態において、第２貯蔵室１１３には、上述した本実施形態に係る保鮮容器１０ａ、１０ｂが収納されている。すなわち、上述した本実施形態に係る保鮮容器１０を冷蔵庫用の保鮮容器として用いている。また、本実施形態では、同じ大きさ及び同じ形状の保鮮容器１０を２つ並べて配置し、保鮮容器１０ａ及び保鮮容器１０ｂとしている。また、保鮮容器１０ａ、１０ｂは、第２貯蔵室１１３内のスペースを有効に活用できるような大きさとしており、本実施形態では、２つの保鮮容器１０ａ、１０ｂによって第２貯蔵室１１３の空間を埋めるような構成としている。なお、図６においては、保鮮容器１０ａ、１０ｂは模式的に図示している。
【００７６】
以上のように構成される本実施形態に係る冷蔵庫は、次のような効果を得ることができる。
【００７７】
冷蔵庫１００の冷蔵室１１０に密閉容器を収納すると密閉容器内に結露が生じやすい。しかし、冷蔵庫１００の冷蔵室１１０に収納する密閉容器として、本実施形態に係る保鮮容器１０ａ、１０ｂを用いることによって、この問題を解消することができる。すなわち、本実施形態に係る保鮮容器１０ａ、１０ｂを用いてそれぞれの第２蓋４０を開状態とすることにより、孔３１０を介して保鮮容器１０ａ、１０ｂ内の水分を排出することができ、また、保鮮容器１０ａ、１０ｂ内の結露の発生を抑制することができる。
【００７８】
さらに、冷蔵庫１００の冷蔵室１１０は、庫内奥側に冷気が通る構造となっているので、庫内奥側の方が庫内手前側よりも庫内温度が低い。従って、冷蔵室１１０に密閉容器を収納すると密閉容器内の奥側部分に結露が生じやすい。しかし、本実施形態に係る保鮮容器１０ａ、１０ｂは、孔３１０を開閉するための第２蓋４０が奥側に設けられているので、保鮮容器１０ａ、１０ｂ内の奥側に発生しうる結露を効果的に抑制することができる。
【００７９】
また、本実施形態に係る保鮮容器１０ａ、１０ｂでは、第２蓋４０の押し込み部４４０は、当該第２蓋４０の手前側部分としている。これにより、保鮮容器１０ａ、１０ｂの容器全体を第２貯蔵室１１３から取り出すことなく、押し込み部４４０が押せる状態にまで取り出すことにより、第２蓋４０の開閉を容易に行うことができる。
【００８０】
しかも、第１蓋３０の上面と第２貯蔵室１１３内の上面（トレイ下面）との間に手を入れる隙間さえあれば、保鮮容器１０ａ、１０ｂを移動させることなく第２蓋４０を開閉することができる。
【００８１】
このように、第２蓋４０の押し込み部４４０を手前側に設けることにより、第２蓋４０を開閉するためにだけに保鮮容器１０ａ、１０ｂの容器全体を冷蔵室１１０から取り出す必要がなくなる。従って、保鮮容器１０ａ、１０ｂの引き出し過ぎによる保鮮容器１０の落下を防止することができる。
【００８２】
すなわち、本実施形態では、結露の発生を防止するために第２蓋４０は奥側に設け、かつ、第２蓋４０の開閉を容易にかつ安全に行うために押し込み部４４０は手前側に設けた構造としている。
【００８３】
さらに、保鮮容器１０ａ、１０ｂの把手部２４０は、手を下方から入れることができる凹部構造としているので、冷蔵室１１０から保鮮容器１０ａ、１０ｂを引き出す際に、手によって保鮮容器１０ａ、１０ｂを下方から支えることができる。従って、保鮮容器１０ａ、１０ｂの引き出し過ぎによって保鮮容器１０ａ、１０ｂが勢いよく落下することを抑制することができる。
【００８４】
（変形例）
以上、本発明に係る保鮮容器及び冷蔵庫について、実施の形態に基づいて説明したが、本発明はこれらの実施の形態に限定されるものではない。以下、本発明に係る保鮮容器及び冷蔵庫の変形例について説明する。
【００８５】
まず、上述の本実施形態に係る保鮮容器１０、１０ａ、１０ｂ及び冷蔵庫１００では、保鮮容器内の収納物としては青果物として説明したが、青果物に限らない。収納物としては、青果物以外のその他の生鮮食品でもよく、さらには、保鮮容器内に発生した水分によってダメージを受ける物であれば何でも構わない。本発明に係る保鮮容器及び冷蔵庫は、水分によってダメージを受ける物について、上述した効果を奏する。
【００８６】
また、本実施形態に係る保鮮容器１０では、第１蓋３０に設けた孔３１０は１つの孔としたが、複数の孔を設けることもできる。これにより、孔の開口面積を調節できるような孔開口面積調節手段を構成することができる。
【００８７】
例えば、孔を複数個にする場合、図２に示した孔３１０を横方向に分割して複数個の孔とすることもできるし、図２に示した孔３１０を縦方向に複数個を設けることもできる。この場合、孔に応じて第２蓋も複数個設けることが好ましい。
【００８８】
また、図２に示した１つの孔３１０に対して複数の第２蓋を設け、複数の第２蓋の開閉状態を調節することにより、孔３１０の面積を調節できるような構成とすることもできる。さらには、複数の孔に対して１つの第２蓋が対応するようにして構成し、かつ、その組み合わせを複数セット設けるような構成であっても構わない。この場合も複数の第２蓋の開閉状態を調節することにより、孔の開口面積を調節することができる。
【００８９】
このように孔開口面積調節手段によって、孔の開口面積を調節することにより、収納物の種類又は収納物の収納量に応じて通気状態を調整することができる。
【００９０】
また、本実施形態に係る保鮮容器１０では、第２蓋４０の開閉は一軸回転支持機構により行う構造としたが、これに限るものではない。例えば、第２蓋をスライド機構により開閉するように構成しても構わない。スライド機構とすることにより、本実施形態のように上昇部４５０が上昇する構成ではなくなるので、保鮮容器１０の上方部分の隙間が小さい場合でも、第２蓋を容易に開閉することができる。
【００９１】
但し、第２蓋を閉状態としたときの密閉性は高いことが好ましい。この点に関し、本実施形態では、第２蓋４０の凸部４３０と第１蓋３０の孔３１０との嵌合状態のみによって密閉性が決定されるので、第２蓋４０の凸部４３０によって第１蓋３０の孔３１０を完全に密閉することにより保鮮容器１０として高い密閉性を維持することができる。
【００９２】
また、本実施形態に係る保鮮容器１０では、第２蓋４０の開状態の開き角度は３０度としたが、これに限るものではない。例えば、第２蓋４０の開状態の開き角度は９０度以下の範囲で適宜選択することもできる。また、第２蓋４０の開状態の開き角度を複数段階に調節できるような構造とすることもできる。このように第２蓋４０の開き角度を調節することにより、通気状態を調整することができる。
【００９３】
また、本実施形態に係る冷蔵庫１００では、保鮮容器１０ａ、１０ｂを冷蔵室１１０に収納するものとして説明したが、これに限らない。例えば、保鮮容器１０ａ、１０ｂを野菜室１２０に収納するように構成しても構わない。
【００９４】
また、本実施形態に係る冷蔵庫１００では、冷蔵室１１０の第２貯蔵室１１３には、同じ大きさ及び同じ形状の２つの保鮮容器１０ａ、１０ｂを収納するように構成したが、いずれか一方のみの保鮮容器を収納するように構成しても構わない。さらに、１つの保鮮容器とする場合、保鮮容器の大きさを大きくして第２貯蔵室１１３と略同等の大きさの保鮮容器としても構わない。また、同じ大きさの保鮮容器ではなく、異なる大きさの２つの保鮮容器を収納するような構成としても構わない。例えば、高さは同じで、保鮮容器１０ａ、１０ｂの水平方向寸法を異なるように構成することができる。
【００９５】
さらには、３つ以上の保鮮容器を収納するような構成としても構わない。この場合、保鮮容器の大きさは同じとすることもできるし、異なる大きさとすることもできる。
【００９６】
このように保鮮容器を２個又は３個以上の複数個を冷蔵室１１０に配置することにより、冷蔵室の扉が十分に開けられないような場合でも、保鮮容器を取り出すことができるので、冷蔵室を有効に利用することができる。すなわち、冷蔵室の第２貯蔵室である最下段部分は引き出し式であることが多く、冷蔵室の扉が左右方向に十分に開けることができないような状況があった。この場合、その最下段部分を引き出すことができず、冷蔵室を有効に利用することができなかった。しかし、本実施形態に係る保鮮容器を複数個用いることにより、この問題を解消することができ、上述のように冷蔵室を有効に利用することができる。
【００９７】
また、異なる水平方向寸法等、大きさの異なる保鮮容器を用いることにより、冷蔵庫の種類によって冷蔵室の大きさが異なる場合であっても、大きさの異なる保鮮容器を適宜組み合わせることにより、個々の冷蔵室の大きさに適した保鮮容器の組み合わせを実現することができる。すなわち、保鮮容器の標準化を図ることができるとともに、冷蔵庫の冷蔵室の有効活用を図ることができる。
【００９８】
しかも、大きさの異なる保鮮容器を用いることにより、収納物の種類又は収納量に応じて、保鮮容器を選択することもできるので、保鮮容器ごとに通気状態を調節することもできる。
【００９９】
なお、本実施形態において、冷蔵庫の各貯蔵室は、直接冷却方式であっても構わないし、間接冷却方式であっても構わない。
【０１００】
その他、各実施形態に対して当業者が思いつく各種変形を施して得られる形態や、本発明の趣旨を逸脱しない範囲で各実施形態における構成要素及び機能を任意に組み合わせることで実現される形態も本発明に含まれる。
【産業上の利用可能性】
【０１０１】
本発明に係る保鮮容器は、青果物等を保鮮するための保鮮容器として有用であり、また、保鮮容器を収納する冷蔵庫にも有用である。
【符号の説明】
【０１０２】
１０、１０ａ、１０ｂ  保鮮容器
２０  容器本体
３０  第１蓋
４０  第２蓋
５０  止め部材
６０  シール部材
１００  冷蔵庫
１１０  冷蔵室
１１１、１２１、１３１  扉
１１２  第１貯蔵室
１１３  第２貯蔵室
１１４  トレイ
１２０  野菜室
１３０  冷凍室
２１０  開口
２２０  係止穴
２３０  引っ掛け部
２４０  把手部
３１０  孔
３２０  爪
３３０  凹部
３３１  第１凹部
３３２  第２凹部
３４１、３４２  軸
４１０  板状部材
４２１、４２２  軸受部
４３０  凸部
４４０  押し込み部
４５０  上昇部
【図１Ａ】
2011177080.tif 000003
【図１Ｂ】
2011177080.tif 000004
【図２】
2011177080.tif 000005
【図３Ａ】
2011177080.tif 000006
【図３Ｂ】
2011177080.tif 000007
【図４Ａ】
2011177080.tif 000008
【図４Ｂ】
2011177080.tif 000009
【図５】
2011177080.tif 000010
【図６】
2011177080.tif 000011